(57)【特許請求の範囲】
【請求項１】
血液が一時貯留される血液貯留室と、この血液貯留室の下部に並んで設けられた血液流入口及び血液流出口とを備える貯血槽 において、前記血液貯留室の上部に脱気口が形成され、この脱気口の下方に前記血液流入口と血液流出口とを隔てて空気除去効果を有するスクリーンフィルターを配置し、このスクリーンフィルターの上部を前記脱気口に侵入させるとともに前記脱気口の内面と間隔をおいて脱気口内に配置したことを特徴とする貯血槽。
【請求項２】
前記血液貯留室の上部が前記脱気口に向けて上昇する上り勾配となっていることを特徴とする請求項１記載の貯血槽 。
【請求項３】
前記血液貯留室が可撓性を有する２枚の可撓性シートの周囲を接着して形成され、前記スクリーンフィルターの各端を前記２枚の可撓性シートの内面に固定されたことを特徴とする請求項１又は請求項２記載の貯血槽 。
【請求項４】
前記血液貯留室の下部が前記血液流入口から血液流出口へ向けて下降する下り勾配となっていることを特徴とする請求項１から請求項３のいずれかに記載の貯血槽 。
【請求項５】
前記血液流入口が前記血液貯留室内に挿入されたパイプ状体からなり、この第１のパイプ状体の先端部及び側面には血液の流出する孔が形成されていることを特徴とする請求項１から請求項４のいずれかに記載の貯血槽 。
【請求項６】
前記血液流入口が前記血液貯留室内に挿入された第１のパイプ状体からなり、前記血液流出口が前記血液貯留室内に挿入された第２のパイプ状体からなり、前記第１のパイプ状体の先端が前記第２のパイプ状体の先端よりも高い位置に配置され、前記第１のパイプ状体の先端部及び側面には血液の流出する孔が形成され、前記第２のパイプ状体の長さ方向に離れた少なくとも２点に孔が形成されていることを特徴とする請求項１から請求項４のいずれかに記載の貯血槽 。
【請求項７】
前記血液貯留室の上部が前記第１のパイプ状体の先端側から前記第２のパイプ状体の先端側へ向けて下降する下り勾配となっていることを特徴とする請求項５又は請求項６記載の貯血槽 。
【請求項８】
前記第２のパイプ状体の下側の穴が前記血液貯留室の下部底部に対応する位置に設けられていることを特徴とする請求項６又は７記載の貯血槽 。
【請求項９】
前記血液貯留室の上方にフィルターが充填された再循環室が形成され、この再循環室と前記血液貯留室とが連通されていることを特徴とする請求項１から請求項８のいずれかに記載の貯血槽 。
【請求項１０】
前記血液流入口又は血液流出口の少なくともどちらか一方に薬剤注入口を設けたことを特徴とする請求項１から請求項９のいずれかに記載の貯血槽 。
【請求項１１】
前記血液貯留室には薬剤を流入させるパイプ状の薬剤流入口が設けられ、この薬剤流入口の開口端が前記血液貯留室の下部に配置されていることを特徴とする請求項１から請求項９のいずれかに記載の貯血槽 。
【発明の詳細な説明】
【０００１】
【発明の属する技術分野】
本発明は、血液の体外循環回路の途中に設けられる貯血槽に関する。
【０００２】
【従来の技術】
従来、体外循環回路の血液流量の変動に対応するため、又は体外循環回路中で発生した気泡を効果的に除去するために、体外循環回路中に一時血液を貯留するための貯血槽を設けることがあり、この貯血槽は、一般的に、血液が一時貯留される血液貯留室と、この血液貯留室の下部に並んで設けられた血液流入口及び血液流出口とを備える（特公昭６２−８１８３号参照）。
【０００３】
【発明が解決しようとする課題】
従来においては、血液を血液貯留室内に流入させる前に血液貯留室内に生理食塩水等の薬液を充填させる操作を行う場合があるが、薬液流入口を血液貯留室上部に開口して設けると、薬液流入口から流入した薬液が血液貯留室の底部又は薬液の液面と衝突して、泡立ち、空気の巻き込みが発生し、その後脱泡処理が必要となる。
【０００４】
従来においては、血液流入口と血液流出口とをスクリーンフィルターにより隔てて、血液流入口から流入した血液中のエアーを当該スクリーンフィルターにより除去するようにする場合があるが、この場合、スクリーンフィルターの内側の領域（血液流入口側の領域）と、スクリーンフィルターの外側の領域（血液流出口側の領域）とに溜った空気を除去するために、それぞれ別々に各領域に連通する２個の脱泡口を設け、この２個の脱泡口を操作をして空気を除去するといった複雑な操作をしていた。
【０００５】
従来においては、血液貯留室に血液流入口から血液を流入させ血液流出口から排出するようにした場合は、血液貯留室内の一部に血液が流動しない滞留部が形成されることが多く、滞留部が生じないような手段を施す必要があった。
【０００６】
従来においては、血液流入口としてパイプ状体を用い、このパイプ状体の側面に複数の孔を形成すると共にその先端を閉塞した場合には、パイプ状体の内部空間に空気が導入されるとパイプ状体の先端部に空気たまりが生じ、先端部近傍からの血液の流出が阻害され、血液貯留室内の血液の還流が妨げられることがある。
【０００７】
従来においては、貯血槽とは別に、気泡及び生体組織片を除去する機能をもったリザーバーを設け、手術の際に患部から漏れ出た血液を前記リザーバー内に導かれた後、貯血槽に戻されるようにした場合には、貯血槽とリザーバーとを別々に設けるので配置スペースが大きくなる。
【０００８】
従来においては、血液貯留室を２枚の可撓性シートを接着して形成し、この血液貯留室にスクリーンフィルターを配置したものでは、血液を血液貯留室内に導入して充填させて前記可撓性シートにより形成された血液貯留室を膨らませた場合に、内部に設けたスクリーンフィルターが立体的に展開しないときがあり、スクリーンフィルターの脱気機能を充分に果たすことができないことがある。
【０００９】
従来において、血液貯留室の下部に底部は水平に形成されている場合が多く、貯血槽をホルダーに装着したままで血液貯留室内の血液をすべて排出することができず、血液貯留室内の血液を全部排出するには貯血槽をホルダーから外して傾けるといった人力による操作が必要であった。
【００１０】
従来において、血液貯留室の上方に設けられた薬液流入口から生理食塩水等の薬液を血液貯留室内の血液に混入するようにしているが、薬液の血液への拡散が不十分になる場合や迅速混合ができなくなる場合がある。
【００１１】
本発明は、上記事情に鑑みてなされたもので、性能や使い勝手が優れた貯血槽を提供することを目的とする。
【００１２】
【課題を解決するための手段】
本発明の請求項１記載の貯留槽は、血液が一時貯留される血液貯留室と、この血液貯留室の下部に並んで設けられた血液流入口及び血液流出口とを備える貯血槽 において、前記血液貯留室の上部に脱気口が形成され、この脱気口の下方に前記血液流入口と血液流出口とを隔てて空気除去効果を有するスクリーンフィルターを配置し、このスクリーンフィルターの上部を前記脱気口に侵入させるとともに前記脱気口の内面と間隔をおいて脱気口内に配置したことを特徴とする
【００１３】
本発明の請求項２記載の貯留槽は、請求項１記載の貯血槽において、前記血液貯留室の上部が前記脱気口に向けて上昇する上り勾配となっていることを特徴とする。
【００１４】
本発明の請求項３記載の貯留槽は、請求項１記載又は請求項２記載の貯血槽において、前記血液貯留室が可撓性を有する２枚の可撓性シートの周囲を接着して形成され、前記スクリーンフィルターの各端を前記２枚の可撓性シートの内面に固定されたことを特徴とする。
【００１５】
本発明の請求項４記載の貯留槽は、請求項１記載からは請求項３のいずれかに記載の貯血槽において、前記血液貯留室の下部が前記血液流入口から血液流出口へ向けて下降する下り勾配となっていることを特徴とする。
【００１６】
本発明の請求項５記載の貯留槽は、請求項１から請求項４のいずれかに記載の貯血槽において、前記血液流入口が前記血液貯留室内に挿入されたパイプ状体からなり、この第１のパイプ状体の先端部及び側面には血液の流出する孔が形成されていることを特徴とする。
【００１７】
本発明の請求項６記載の貯留槽は、請求項１から請求項４のいずれかに記載の貯血槽において、前記血液流入口が前記血液貯留室内に挿入された第１のパイプ状体からなり、前記血液流出口が前記血液貯留室内に挿入された第２のパイプ状体からなり、前記第１のパイプ状体の先端が前記第２のパイプ状体の先端よりも高い位置に配置され、前記第１のパイプ状体の先端部及び側面には血液の流出する孔が形成され、前記第２のパイプ状体の長さ方向に離れた少なくとも２点に孔が形成されていることを特徴とする。
【００１８】
本発明の請求項７記載の貯留槽は、請求項５又は請求項６記載の貯血槽において、前記血液貯留室の上部が前記第１のパイプ状体の先端側から前記第２のパイプ状体の先端側へ向けて下降する下り勾配となっていることを特徴とする。
【００１９】
本発明の請求項８記載の貯留槽は、請求項６又は請求項７記載の貯血槽において、前記第２のパイプ状体の下側の穴が前記血液貯留室の下部底部に対応する位置に設けられていることを特徴とする。
【００２０】
本発明の請求項９記載の貯留槽は、請求項１から請求項８のいずれかに記載の貯血槽において、前記血液貯留室の上方にフィルターが充填された再循環室が形成され、この再循環室と前記血液貯留室とが連通されていることを特徴とする。
【００２１】
本発明の請求項１０記載の貯留槽は、請求項１から請求項９のいずれかに記載の貯血槽において、前記血液流入口又は血液流出口の少なくともどちらか一方に薬剤注入口を設けたことを特徴とする。
【００２２】
本発明の請求項１１記載の貯留槽は、請求項１から請求項９のいずれかに記載の貯血槽において、前記血液貯留室には薬剤を流入させるパイプ状の薬剤流入口が設けられ、この薬剤流入口の開口端が前記血液貯留室の下部に配置されていることを特徴とする。
【００２３】
【発明の実施の形態】
以下に、図面を参照して、本発明の一実施の形態の貯血槽について説明する。
【００２４】
本実施の形態の貯血槽１０は、図１及び図２に示すように、可撓性を有する２枚の可撓性シート１１を相互に接着して形成された血液が一時貯留される血液貯留室１２と、この血液貯留室１２の下部に並んで設けられた血液流入口１３及び血液流出口１４とを備えて概略構成される。
【００２５】
前記血液流入口１３は前記血液貯留室１２内に挿入された第１のパイプ状体１３ａから構成され、前記血液流出口１４は前記血液貯留室１２内に挿入された第２のパイプ状体１４ａから構成される。ここで、第１のパイプ状体１３ａの先端１３ｂが前記第２のパイプ状体１４ａの先端１４ｂよりも高い位置に配置され、前記第１のパイプ状体１３ａの先端部及び側面には血液の流出する孔１３ｃ，１３ｄが形成されいる。また、前記第２のパイプ状体１４ａの長さ方向に離れた少なくとも２点に孔１４ｃ，１４ｄが形成されている。なお、前記第２のパイプ状体１４ａの下側の穴１４ｄは前記血液貯留室１２の下部底部に対応する位置に設けられている。
【００２６】
なお、血液流入口１３としては、例えば図５に示すような各種のものが使用することができる。
【００２７】
前記血液貯留室１２の下部は、前記血液流入口１３から血液流入口１４へ向けて下降する下り勾配となっている。前記血液貯留室１２の上部は、前記第１のパイプ状体１３ａの先端側から前記第２のパイプ状体１４ａの先端側へ向けて下降する下り勾配となっている。
【００２８】
前記血液貯留室１２の上部に脱気口１５が形成され、この脱気口１５の下方には、前記血液流入口１３と血液流出口１４とを隔てるスクリーンフィルター１６が配置されている。このスクリーンフィルター１６は、図２に示すように、ほぼ平面状の１枚のフィルター体を半分に折り返して形成され、スクリーンフィルター１６の各端１６ａを接着テープ１７により前記２枚の可撓性シート１１の内面にそれぞれに固定されている。接着テープ１７は、図１に示すように、スクリーンフィルター１６の一端の一部分に設けられている。前記脱気口１５の内側には、前記スクリーンフィルター１６の上部１６ｂが侵入した状態で配置され、図３に示すようにスクリーンフィルター１６の上部１６ｂは前記脱気口１５の内面と間隔をおいて脱気口１６内に配置されている。また、前記血液貯留室１２の上部は前記脱気口１５に向けて上昇する上り勾配となっている。
【００２９】
前記血液貯留室１２の上方に再循環室１８が前記可撓性シート１１を相互に接着することにより形成され、この再循環室１８内には気泡や生体組織片を濾過するためのフィルター１９が充填されている。前記再循環室１８には、再循環血液流入口２０が挿入されており、前記再循環室１８と前記血液貯留室１２とが連通路２１を介して連通されている。連通路２１には連通路２１を開閉するクランパー２２が介装されている。なお、図中２４は空気除去口である。
【００３０】
前記血液貯留室１２の上方から薬剤を血液貯留室１２内に流入させるパイプ状の薬剤流入口２３が挿入されている。この薬剤流入口２３の開口端２３ａが前記血液貯留室１２の下部底部にきわめて近接して配置されるようになっている。なお、薬液流入口２３は、例えば貯血槽１０内に血液を流入させる前に血液貯留室１２内に生理食塩水等の薬液を充満させるために使用されるものである。
【００３１】
前記血液流入口１３の入口には、血液流入口１３内を流れる血液に薬液を注入する薬液注入口２５が設けられている。血液流出口１４の出口には血液流出口１４内に薬液を注入する薬剤注入口２６がを設けられている。
【００３２】
また、図１中に示した寸法等ａ〜ｉは、ｂ≦ａ／２、ｅ＝０〜３０゜、ａ≦ｃ、ｇ≧２ｆ／３、ｄ≧０゜、ｉ≧ｈ／２を満たすことが好ましい。
【００３３】
次に、前記実施の形態の貯血槽１０の作用について説明する。
【００３４】
まず、薬液流入口２３から生理食塩水等の薬液を血液貯留室１２内に充填する。薬液流入口２３の開口端２３ａは血液貯留室１２の下部底部にきわめて近接して配置されているので、薬液を充填する際に薬液の液面を叩くことがなく、薬液の泡立ち、エアーの巻き込みが発生することがない。
【００３５】
次に、血液流入口１３に人体から取り出した血液を流入させる。この血液流入口１３に流入した血液は、第１のパイプ状体１３ａの先端に形成された孔１３ｃ及び第１のパイプ状体１３ａの側面に形成された孔１３ｄから血液貯留室１２内に流出する。そして、血液貯留室１２内を流通した血液は、血液流出口１４の孔１４ｃ，１４ｄから血液貯留室１２の外部に排出される。
【００３６】
ここで、前記第１のパイプ状体１３ａの先端が前記第２のパイプ状体１４ａの先端よりも高い位置に配置され、前記第１のパイプ状体１３の先端部及び側面には血液の流出する孔１３ｃ，１３ｄが形成され、前記第２のパイプ状体１４の長さ方向に離れた少なくとも２点に孔１４ｃ，１４ｄが形成され、しかも前記血液貯留室１２の上部が前記第１のパイプ状体１３ａの先端側から前記第２のパイプ状体１４ａの先端側へ向けて下降する下り勾配となっていることにより、第１のパイプ状体１３ａの先端１３ｂ及び側面に形成された孔１３ｄから流出した血液流は、前記血液流出口１４に向かうにつれて流路面積が除々に絞られて、血液がよどむ部分を生ずることがなく、第２のパイプ状体１４ａの孔１４ｃ，１４ｄから流出する。
【００３７】
前記血液流入口１３から流入した血液により、図２に示すように各可撓性シート１１により形成された血液貯留室１２は膨らみ、これにより、各可撓性シート１１のそれぞれに粘着テープ１７により固定されたスクリーンフィルター１６が立体的に展開する。そして、血液がスクリーンフィルター１６を通過する際に血液中に混入する空気が除去される。除去された空気は血液貯留室１２の上部に設けられた脱気口１５に浮上する。ここで、スクリーンフィルター１６が立体的に展開するので、スクリーンフィルター１６による空気除去効果を向上させることができる。
【００３８】
前記脱気口１５に内部には、図３に示すようにスクリーンフィルター１６の上部を前記脱気口１５の内面と間隔をおいて脱気口内に配置したので、一つの脱気口１５をスクリーンフィルター１６の内側の領域と外側の領域とに連通させることができ、したがって、一度の操作でスクリーンフィルター１６の内外領域の空気を排出することができる。
【００３９】
ところで、手術中に患部から流出する血液は、吸引されて再循環血液流入口２０から再循環室１８内に導かれ、内部に設けれたフィルター１９により気泡や生体組織片が除去された後に、連通路２１を通って血液貯留室１２内に流入する。
【００４０】
このように、可撓性シート１１により再循環室１８及び血液貯留室１２を近接して形成するようにしているので、再循環室を別途設けるものに比べて占めるスペースを小さくすることができる。
【００４１】
必要に応じて、血液流入口１３の入口に設けた薬液注入口２５から薬液を血液中に注入する。これにより血液流入口１３内を流れる血液に薬液を均一に混合させることができる。さらに、血液流出口１４の出口に設けた薬液注入口２６から薬液を血液流出口１４内に注入する。これにより、緊急時又は速時性を要する薬液の注入を迅速かつ容易に行うことができる。
【００４２】
前記貯血槽１０の使用が終了したら、血液貯留室１２内の血液を血液貯留室１２から排出して操作を終了する。ここで、前記血液貯留室１２の下部が前記血液流入口１３から血液流出口１４へ向けて下降する下り勾配となっており、かつ、前記第２のパイプ状体１４ａの下側の穴１４ｄが前記血液貯留室１２の下部底部に対応する位置に設けられているので、貯血槽 １０をホルダーに取り付けたままで、血液貯留室１２内の血液を自然流出させることができる。
【００４３】
なお、前記実施例では、スクリーンフィルター１６と可撓性シート１１の内面とをスクリーンフィルター１６の端部の一部に設けられた粘着テープ１７により相互に接着するようにしているが、図６に示すようにスクリーンフィルター１６の端部のほぼ全部に設けられた粘着テープ１７ａによりスクリーンフィルター１６の端部１６ａと可撓性シート１１とをそれぞれ相互に接着するようにしてもよい。なお、スクリーンフィルター１６と可撓性シート１１との固定方法はこれに限られず熱溶着等の周知の方法を使用できることは言うまでもない。
【００４４】
また、前記血液流出口１４を構成する第２のパイプ状体１４ａが血液貯留室１２内に突出しないように配置してもよい。
【００４５】
【発明の効果】
以上説明したように、本発明の請求項１記載の貯血槽によれば、血液が一時貯留される血液貯留室と、この血液貯留室の下部に並んで設けられた血液流入口及び血液流出口とを備える貯血槽 において、前記血液貯留室の上部に脱気口が形成され、この脱気口の下方に前記血液流入口と血液流出口とを隔ててスクリーンフィルターを配置し、このスクリーンフィルターの上部を前記脱気口の内面と間隔をおいて脱気口内に配置したので、スクリーンフィルターの内側と外側との両方の空気を一度の操作で排出することができる。
【００４６】
請求項２記載の貯血槽によれば、前記血液貯留室の上部が前記脱気口に向けて上昇する上り勾配となっているので、空気を脱気口へ速やかに浮上・移動させることができる。
【００４７】
請求項３記載の貯血槽によれば、前記血液貯留室が可撓性を有する２枚の可撓性シートの周囲を接着して形成され、前記スクリーンフィルターの各端を前記２枚の可撓性シートのそれぞれに固定したので、血液貯留室が膨らんだときにスクリーンフィルターを立体的に展開させて、良好な空気除去効果を発揮させることができる。
【００４８】
本発明の請求項４記載の貯血槽によれば、血液が一時貯留される血液貯留室と、この血液貯留室の下部に並んで設けられた血液流入口及び血液流出口とを備える貯血槽 において、前記血液貯留室の下部が前記血液流入口から血液流出口へ向けて下降する下り勾配となっているので、血液貯留室内の血液全部を自然流出させることができる。
【００４９】
本発明の請求項５記載の貯血槽によれば、血液が一時貯留される血液貯留室と、この血液貯留室の下部に並んで設けられた血液流入口及び血液流出口とを備える貯血槽 において、前記血液流入口が前記血液貯留室内に挿入されたパイプ状体からなり、この第１のパイプ状体の先端部及び側面には血液の流出する孔が形成されているので、血液流入口から流入した血液をよどむ部分を生じさせることなく血液流出口から排出させることができる。
【００５０】
請求項６記載の貯血槽によれば、血液が一時貯留される血液貯留室と、この血液貯留室の下部に並んで設けられた血液流入口及び血液流出口とを備える貯血槽 において、前記血液流入口が前記血液貯留室内に挿入された第１のパイプ状体からなり、前記血液流出口が前記血液貯留室内に挿入された第２のパイプ状体からなり、前記第１のパイプ状体の先端が前記第２のパイプ状体の先端よりも高い位置に配置され、前記第１のパイプ状体の先端部及び側面には血液の流出する孔が形成され、前記第２のパイプ状体の長さ方向に離れた少なくとも２点に孔が形成されているので、血液流入口から流入した血液をよどむ部分を生じさせることなく血液流出口から排出させることができる。
【００５１】
請求項７記載の貯血槽によれば、前記血液貯留室の上部が前記第１のパイプ状体の先端側から前記第２のパイプ状体の先端側へ向けて下降する下り勾配となっているので、血液流入口から流入した血液をよどむ部分を生じさせることなく血液流出口から排出させることができる。
【００５２】
請求項８記載の貯血槽によれば、前記第２のパイプ状体の下側の穴が前記血液貯留室の下部底部に対応する位置に設けられているので、血液貯留室内の血液全部を自然流出させることができる。
【００５３】
請求項９記載の貯血槽 によれば、血液が一時貯留される血液貯留室と、この血液貯留室の下部に並んで設けられた血液流入口及び血液流出口とを備える貯血槽 において、前記血液貯留室の上方にフィルターが充填された再循環室が形成され、この再循環室と前記血液貯留室とが連通されているので、配置スペースを小さくすることができる。
【００５４】
請求項１０記載の貯血槽によれば、血液が一時貯留される血液貯留室と、この血液貯留室の下部に並んで設けられた血液流入口及び血液流出口とを備える貯血槽において、前記血液流入口又は血液流出口の少なくともどちらか一方に薬剤注入口を設けたので、薬液を血液に均一にかつ迅速に注入することができる。
【００５５】
請求項１１記載の貯血槽によれば、血液が一時貯留される血液貯留室と、この血液貯留室の下部に並んで設けられた血液流入口及び血液流出口とを備える貯血槽 において、前記血液貯留室には薬剤を流入させるパイプ状の薬剤流入口が設けられ、この薬剤流入口の開口端が前記血液貯留室の下部底部に臨んでいるので、薬液を流入させる際の泡立ち、空気の巻き込みを防止することができる。
【図面の簡単な説明】
【図１】本発明の一実施の形態の貯血槽を示す正面図である。
【図２】図１中のイ−イ断面図である。
【図３】図１中のロ−ロ断面図である。
【図４】図１の要部を示す図である。
【図５】図１の要部の変形例を示す図である。
【図６】本発明の他の実施の形態を示す図である。
【符号の説明】
１０  貯血槽
１１  可撓性シート
１２  血液貯留室
１３  血液流入口
１３ａ  パイプ状体
１３ｂ  先端
１３ｃ，１３ｄ  孔
１４  血液流出口
１４ａ  パイプ状体
１４ｂ  先端
１４ｃ，１４ｄ  孔
１５  脱気口
１６  スクリーンフィルター
１７，１７ａ  粘着テープ
１８  再循環室
１９  フィルター
２３  薬液流入口
２５，２６  薬液注入口
【図１】
0003705850.tif 000002
【図２】
0003705850.tif 000003
【図３】
0003705850.tif 000004
【図４】
0003705850.tif 000005
【図５】
0003705850.tif 000006
【図６】
0003705850.tif 000007